(57)【要約】【課題】本発明は水面で泳げる子供用浴室玩具を開示した。【解決手段】玩具本体を含み、前記玩具本体の中にはエアバッグが設けられ、前記エアバッグの右側には動力チャンバが設けられ、前記動力チャンバの中には玩具本体の動きを駆動する動力機構が設けられ、前記動力チャンバの下方には伝動チャンバが連通して設けられ、前記伝動チャンバの左側には噛合チャンバが設けられ、前記噛合チャンバの下方には伸縮チャンバが連通して設けられ、前記伸縮チャンバの下方には下に開口したスイングチャンバが設けられ、前記スイングチャンバと前記噛合チャンバとの間にはスイング機能付きのスイング機構が設けられる。【選択図】図１
2020151427.tif 000002
【特許請求の範囲】
【請求項１】
水面で泳げる子供用浴室玩具であって、玩具本体を含み、前記玩具本体の中にはエアバッグが設けられ、前記エアバッグの右側には動力チャンバが設けられ、前記動力チャンバの中には玩具本体の動きを駆動する動力機構が設けられ、前記動力チャンバの下方には伝動チャンバが連通して設けられ、前記伝動チャンバの左側には噛合チャンバが設けられ、前記噛合チャンバの下方には伸縮チャンバが連通して設けられ、前記伸縮チャンバの下方には下に開口したスイングチャンバが設けられ、前記スイングチャンバと前記噛合チャンバとの間にはスイング機能付きのスイング機構が設けられ、玩具本体の中には補助機構が設けられることを特徴とする水面で泳げる子供用浴室玩具。
【請求項２】
前記動力機構は玩具本体の右側端面に固定的に取り付けられる防水ブロックを含み、前記防水ブロックの中には前記動力チャンバの右側内壁を貫通する回転ロッドが回転できように係合取り付けられ、前記回転ロッドの右側端面には回転ブロックが固定的に取り付けられ、前記回転ロッドの左側端面には回転歯車が固定的に取り付けられ、前記動力チャンバの中にはラチェットが回転できように係合取り付けられ、前記ラチェットの左側端面には接続ロッドが固定的に取り付けられ、前記回転歯車の右側端面には歯止めが固定的に取り付けられ、前記接続ロッドには第一歯車が固定的に取り付けられ、前記接続ロッドの左側端面にはゼンマイが固定的に取り付けられ、前記伝動チャンバの中には前記玩具本体の左右両側の端面を貫通する移動ロッドが回転できように係合取り付けられ、前記移動ロッドには第二歯車が固定的に取り付けられ、前記第二歯車と前記第一歯車との間にはチェーンが伝動できように係合取り付けられ、前記移動ロッドの左右両側の端面には伝動ロッドが固定的に取り付けられ、前記伝動ロッドには移動板が上下に対称的且つ固定的に取り付けられ、これにより、回転ブロックを回転させ、回転ロッドを回転連動させ、回転ロッドが回転して回転歯車を回転連動させ、回転歯車は歯止めによってラチェットを回転連動させ、ゼンマイはエネルギーを貯蔵し、釈放するとき、ゼンマイが回転して第一歯車を回転連動させ、第一歯車はチェーンの伝動によって第二歯車を回転連動させ、第二歯車が回転して移動ロッドを回転連動させ、移動ロッドが回転して伝動ロッドと移動板を回転連動させ、玩具本体は水面で泳いでいることを特徴とする請求項１に記載の水面で泳げる子供用浴室玩具。
【請求項３】
前記スイング機構は前記噛合チャンバの後側内壁に回転できように係合取り付けられるサポートロッドを含み、前記サポートロッドの前側端面には第二傘歯車が固定的に取り付けられ、前記移動ロッドにおいて前記噛合チャンバの中には第一傘歯車が固定的に取り付けられ、前記第一傘歯車は前記第二傘歯車と噛み合い、前記第二傘歯車の前側端面には接続ブロックが固定的に取り付けられ、前記接続ブロックには伸縮ロッドが回転できように係合取り付けられ、前記スイングチャンバの後側内壁には前記伸縮チャンバの後側内壁を貫通するスイングロッドが回転できように係合取り付けられ、前記スイングロッドにはかめテールが固定的に取り付けられ、前記スイングロッドにおいて前記伸縮チャンバの中には挿入接続ロッドが固定的に取り付けられ、前記挿入接続ロッドの中には上に開口したバネ溝が設けられ、前記バネ溝は前記伸縮ロッドとスライドできように係合され、前記伸縮ロッドの底部端面と前記バネ溝の底壁との間にはバネが固定的に取り付けられ、これにより前記移動ロッドは回転して前記第一傘歯車を回転連動させ、前記第一傘歯車は噛合によって前記第二傘歯車を回転連動させ、前記第二傘歯車は回転して前記接続ブロックを回転連動させ、前記伸縮ロッドは前記挿入接続ロッドを左右に回転連動させ、前記挿入接続ロッドは回転して前記スイングロッドによって前記かめテールを左右に揺動連動させることを特徴とする請求項１に記載の水面で泳げる子供用浴室玩具。
【請求項４】
前記補助機構は前記玩具本体に左右に対称的かつ固定的に取り付けられる固定ブロックを含み、前記固定ブロックの中には固定溝が設けられ、前記固定溝の前後内壁の間には固定ロッドが回転できように係合取り付けられ、前記固定ロッドにはカメ足が固定的に取り付けられ、したがって、玩具本体が水面で移動すると、水流は前記カメ足を回転連動させることを特徴とする請求項１に記載の水面で泳げる子供用浴室玩具。
【発明の詳細な説明】
【技術分野】
【０００１】
本発明は玩具分野を取り上げて、具体的には水面で泳げる子供用浴室玩具である。
【背景技術】
【０００２】
子供が風呂に入るとき、よくふざけ、子供の注意をそらすために、子供用浴室の玩具が必要で、従来技術では、一般的な子供用浴室の玩具は、動かすために親が絶えず玩具を回し、親が子供をお風呂に入れるときの面倒を間接的に増加させ、また、入浴時間が長くなり、子供が病気になることがあり、一般的な子供用玩具は水面に浮き、動くこともできなく、娯楽性が欠け、それ故、長期間の親の管理を必要とせずに水上を移動することができる子供用浴室玩具が必要とされる。
【先行技術文献】
【特許文献】
【０００３】
【特許文献１】中国特許出願公開第105744828号明細書
【発明の概要】
【発明が解決しようとする課題】
【０００４】
本発明の目的は水面で泳げる子供用浴室玩具を提供し、それは上記の現在の技術中の問題を解決できる。
【課題を解決するための手段】
【０００５】
本発明は以下の技術プランを通じて実現する：本発明の水面で泳げる子供用浴室玩具は、玩具本体を含み、前記玩具本体の中にはエアバッグが設けられ、前記エアバッグの右側には動力チャンバが設けられ、前記動力チャンバの中には玩具本体の動きを駆動する動力機構が設けられ、前記動力チャンバの下方には伝動チャンバが連通して設けられ、前記伝動チャンバの左側には噛合チャンバが設けられ、前記噛合チャンバの下方には伸縮チャンバが連通して設けられ、前記伸縮チャンバの下方には下に開口したスイングチャンバが設けられ、前記スイングチャンバと前記噛合チャンバとの間にはスイング機能付きのスイング機構が設けられ、玩具本体の中には補助機構が設けられる。
【０００６】
優選的には、前記動力機構は玩具本体の右側端面に固定的に取り付けられる防水ブロックを含み、前記防水ブロックの中には前記動力チャンバの右側内壁を貫通する回転ロッドが回転できように係合取り付けられ、前記回転ロッドの右側端面には回転ブロックが固定的に取り付けられ、前記回転ロッドの左側端面には回転歯車が固定的に取り付けられ、前記動力チャンバの中にはラチェットが回転できように係合取り付けられ、前記ラチェットの左側端面には接続ロッドが固定的に取り付けられ、前記回転歯車の右側端面には歯止めが固定的に取り付けられ、前記接続ロッドには第一歯車が固定的に取り付けられ、前記接続ロッドの左側端面にはゼンマイが固定的に取り付けられ、前記伝動チャンバの中には前記玩具本体の左右両側の端面を貫通する移動ロッドが回転できように係合取り付けられ、前記移動ロッドには第二歯車が固定的に取り付けられ、前記第二歯車と前記第一歯車との間にはチェーンが伝動できように係合取り付けられ、前記移動ロッドの左右両側の端面には伝動ロッドが固定的に取り付けられ、前記伝動ロッドには移動板が上下に対称的且つ固定的に取り付けられ、これにより、回転ブロックを回転させ、回転ロッドを回転連動させ、回転ロッドが回転して回転歯車を回転連動させ、回転歯車は歯止めによってラチェットを回転連動させ、ゼンマイはエネルギーを貯蔵し、釈放するとき、ゼンマイが回転して第一歯車を回転連動させ、第一歯車はチェーンの伝動によって第二歯車を回転連動させ、第二歯車が回転して移動ロッドを回転連動させ、移動ロッドが回転して伝動ロッドと移動板を回転連動させ、玩具本体は水面で泳いでいる。
【０００７】
優選的には、前記スイング機構は前記噛合チャンバの後側内壁に回転できように係合取り付けられるサポートロッドを含み、前記サポートロッドの前側端面には第二傘歯車が固定的に取り付けられ、前記移動ロッドにおいて前記噛合チャンバの中には第一傘歯車が固定的に取り付けられ、前記第一傘歯車は前記第二傘歯車と噛み合い、前記第二傘歯車の前側端面には接続ブロックが固定的に取り付けられ、前記接続ブロックには伸縮ロッドが回転できように係合取り付けられ、前記スイングチャンバの後側内壁には前記伸縮チャンバの後側内壁を貫通するスイングロッドが回転できように係合取り付けられ、前記スイングロッドにはかめテールが固定的に取り付けられ、前記スイングロッドにおいて前記伸縮チャンバの中には挿入接続ロッドが固定的に取り付けられ、前記挿入接続ロッドの中には上に開口したバネ溝が設けられ、前記バネ溝は前記伸縮ロッドとスライドできように係合され、前記伸縮ロッドの底部端面と前記バネ溝の底壁との間にはバネが固定的に取り付けられ、これにより前記移動ロッドは回転して前記第一傘歯車を回転連動させ、前記第一傘歯車は噛合によって前記第二傘歯車を回転連動させ、前記第二傘歯車は回転して前記接続ブロックを回転連動させ、前記伸縮ロッドは前記挿入接続ロッドを左右に回転連動させ、前記挿入接続ロッドは回転して前記スイングロッドによって前記かめテールを左右に揺動連動させる。
【０００８】
優選的には、前記補助機構は前記玩具本体に左右に対称的かつ固定的に取り付けられる固定ブロックを含み、前記固定ブロックの中には固定溝が設けられ、前記固定溝の前後内壁の間には固定ロッドが回転できように係合取り付けられ、前記固定ロッドにはカメ足が固定的に取り付けられ、したがって、玩具本体が水面で移動すると、水流は前記カメ足を回転連動させ、一箇所に固定して動かない。
【発明の効果】
【０００９】
本発明の有益な効果は：本発明は構造が簡単で、操作が便利で、動力機構の中の回転ブロックを回転させ、それによりゼンマイのためにエネルギーを蓄えることができ、親が玩具を操作する時間を減少し、親が子供をよりよくお風呂に入れられるようにし、子供は入浴で病気になる可能性を減少し、ゼンマイは玩具本体を連動させて長時間水面で移動させ、子供用浴室の玩具の娯楽を増やし、さらに子供の注意をそらすことができ、子供たちに玩具の魅力を増やすことができ、普及の価値がある。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の水面で泳げる子供用浴室玩具の内部構成略図である；
【図２】図２は図１のＡ−Ａの断面構成略図である；
【図３】図３は図１のＢ−Ｂの断面構成略図である；
【図４】図４は図１のＣの拡大構成略図である；
【図５】図５は図１のＤ―Ｄの断面構造略図である；
【発明を実施するための形態】
【００１２】
下記に図1〜5を合わせて本発明について詳しく説明します。説明を便利にさせるように、ここで下記の方位に規定します：下記の上下左右前後という方向は図1の自身の投影関係の上下左右前後の方向と一致します。
【００１３】
図1〜5を参照し、本発明の実施例の水面で泳げる子供用浴室玩具は、玩具本体11を含み、前記玩具本体11の中にはエアバッグ16が設けられ、前記エアバッグ16の右側には動力チャンバ31が設けられ、前記動力チャンバ31の中には玩具本体11の動きを駆動する動力機構80が設けられ、前記動力チャンバ31の下方には伝動チャンバ24が連通して設けられ、前記伝動チャンバ24の左側には噛合チャンバ33が設けられ、前記噛合チャンバ33の下方には伸縮チャンバ38が連通して設けられ、前記伸縮チャンバ38の下方には下に開口したスイングチャンバ20が設けられ、前記スイングチャンバ20と前記噛合チャンバ33との間にはスイング機能付きのスイング機構70が設けられ、玩具本体11の中には補助機構90が設けられる。
【００１４】
有益なまた例を示すように、前記動力機構80は玩具本体11の右側端面に固定的に取り付けられる防水ブロック28を含み、前記防水ブロック28の中には前記動力チャンバ31の右側内壁を貫通する回転ロッド26が回転できように係合取り付けられ、前記回転ロッド26の右側端面には回転ブロック27が固定的に取り付けられ、前記回転ロッド26の左側端面には回転歯車45が固定的に取り付けられ、前記動力チャンバ31の中にはラチェット43が回転できように係合取り付けられ、前記ラチェット43の左側端面には接続ロッド29が固定的に取り付けられ、前記回転歯車45の右側端面には歯止め44が固定的に取り付けられ、前記接続ロッド29には第一歯車30が固定的に取り付けられ、前記接続ロッド29の左側端面にはゼンマイ32が固定的に取り付けられ、前記伝動チャンバ24の中には前記玩具本体11の左右両側の端面を貫通する移動ロッド19が回転できように係合取り付けられ、前記移動ロッド19には第二歯車23が固定的に取り付けられ、前記第二歯車23と前記第一歯車30との間にはチェーン25が伝動できように係合取り付けられ、前記移動ロッド19の左右両側の端面には伝動ロッド18が固定的に取り付けられ、前記伝動ロッド18には移動板17が上下に対称的且つ固定的に取り付けられ、これにより、回転ブロック27を回転させ、回転ロッド26を回転連動させ、回転ロッド26が回転して回転歯車45を回転連動させ、回転歯車45は歯止め44によってラチェット43を回転連動させ、ゼンマイ32はエネルギーを貯蔵し、釈放するとき、ゼンマイ32が回転して第一歯車30を回転連動させ、第一歯車30はチェーン25の伝動によって第二歯車23を回転連動させ、第二歯車23が回転して移動ロッド19を回転連動させ、移動ロッド19が回転して伝動ロッド18と移動板17を回転連動させ、玩具本体11は水面で泳いでいる。
【００１５】
有益なまた例を示すように、前記スイング機構70は前記噛合チャンバ33の後側内壁に回転できように係合取り付けられるサポートロッド36を含み、前記サポートロッド36の前側端面には第二傘歯車35が固定的に取り付けられ、前記移動ロッド19において前記噛合チャンバ33の中には第一傘歯車37が固定的に取り付けられ、前記第一傘歯車37は前記第二傘歯車35と噛み合い、前記第二傘歯車35の前側端面には接続ブロック34が固定的に取り付けられ、前記接続ブロック34には伸縮ロッド39が回転できように係合取り付けられ、前記スイングチャンバ20の後側内壁には前記伸縮チャンバ38の後側内壁を貫通するスイングロッド22が回転できように係合取り付けられ、前記スイングロッド22にはかめテール21が固定的に取り付けられ、前記スイングロッド22において前記伸縮チャンバ38の中には挿入接続ロッド40が固定的に取り付けられ、前記挿入接続ロッド40の中には上に開口したバネ溝42が設けられ、前記バネ溝42は前記伸縮ロッド39とスライドできように係合され、前記伸縮ロッド39の底部端面と前記バネ溝42の底壁との間にはバネ41が固定的に取り付けられ、これにより前記移動ロッド19は回転して前記第一傘歯車37を回転連動させ、前記第一傘歯車37は噛合によって前記第二傘歯車35を回転連動させ、前記第二傘歯車35は回転して前記接続ブロック34を回転連動させ、前記伸縮ロッド39は前記挿入接続ロッド40を左右に回転連動させ、前記挿入接続ロッド40は回転して前記スイングロッド22によって前記かめテール21を左右に揺動連動させる。
【００１６】
有益なまた例を示すように、前記補助機構90は前記玩具本体11に左右に対称的かつ固定的に取り付けられる固定ブロック12を含み、前記固定ブロック12の中には固定溝13が設けられ、前記固定溝13の前後内壁の間には固定ロッド14が回転できように係合取り付けられ、前記固定ロッド14にはカメ足15が固定的に取り付けられ、したがって、玩具本体11が水面で移動すると、水流は前記カメ足15を回転連動させ、一箇所に固定して動かない。
【００１７】
利用するとき、回転ブロック27を回転させ、回転ロッド26を回転連動させ、回転ロッド26は回転して回転歯車45を回転連動させ、回転歯車45は歯止め44によってラチェット43を回転連動させ、ゼンマイ32はエネルギーを貯蔵し、釈放するとき、ゼンマイ32は回転して第一歯車30を回転連動させ、第一歯車30はチェーン25の伝動によって第二歯車23を回転連動させ、第二歯車23は回転して移動ロッド19を回転連動させ、移動ロッド19は回転して伝動ロッド18と移動板17を回転連動させ、玩具本体11が水面で移動し、移動ロッド19は回転して第一傘歯車37を回転連動させ、第一傘歯車37は噛合によって第二傘歯車35を回転連動させ、第二傘歯車35は回転して接続ブロック34を回転連動させ、これにより伸縮ロッド39は挿入接続ロッド40を左右に回転連動させ、挿入接続ロッド40は回転してスイングロッド22によってかめテール21を左右に揺動連動させ、玩具本体11が水面で移動するとき、水流はかめ足15を回転連動させ、一箇所に固定して動かない。
【００１８】
本発明の有益な効果は：本発明は構造が簡単で、操作が便利で、動力機構の中の回転ブロックを回転させ、それによりゼンマイのためにエネルギーを蓄えることができ、親が玩具を操作する時間を減少し、親が子供をよりよくお風呂に入れられるようにし、子供は入浴で病気になる可能性を減少し、ゼンマイは玩具本体を連動させて長時間水面で移動させ、子供用浴室の玩具の娯楽を増やし、さらに子供の注意をそらすことができ、子供たちに玩具の魅力を増やすことができ、普及の価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020151427.tif 000003
【図２】
2020151427.tif 000004
【図３】
2020151427.tif 000005
【図４】
2020151427.tif 000006
【図５】
2020151427.tif 000007
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
正面視で、下側にかめテールがある水面で泳げる子供用浴室玩具であって、玩具本体を含み、前記玩具本体の中にはエアバッグが設けられ、前記エアバッグの右側には動力チャンバが設けられ、前記動力チャンバの中には玩具本体の動きを駆動する動力機構が設けられ、前記動力チャンバの下方には伝動チャンバが設けられ、前記動力チャンバと前記伝動チャンバとが連通しており、前記伝動チャンバの左側には噛合チャンバが設けられ、前記噛合チャンバの下方には伸縮チャンバが連通して設けられ、前記伸縮チャンバの下方には下に開口したスイングチャンバが設けられ、前記スイングチャンバと前記噛合チャンバとの間にはスイング機能付きのスイング機構が設けられ、玩具本体の中には補助機構が設けられ、
前記動力機構は玩具本体の右側端面に固定的に取り付けられる防水ブロックを含み、前記防水ブロックの中には前記動力チャンバの右側内壁を貫通する回転ロッドが回転できように係合取り付けられ、前記回転ロッドの右側端面には回転ブロックが固定的に取り付けられ、前記回転ロッドの左側端面には回転歯車が固定的に取り付けられ、前記動力チャンバの中にはラチェットが回転できように係合取り付けられ、前記ラチェットの左側端面には接続ロッドが固定的に取り付けられ、前記回転歯車の右側端面には歯止めが固定的に取り付けられ、前記接続ロッドには第一歯車が固定的に取り付けられ、前記接続ロッドの左側端面にはゼンマイが固定的に取り付けられ、前記伝動チャンバの中には前記玩具本体の左右両側の端面を貫通する移動ロッドが回転できように係合取り付けられ、前記移動ロッドには第二歯車が固定的に取り付けられ、前記第二歯車と前記第一歯車との間にはチェーンが伝動できように係合取り付けられ、前記移動ロッドの左右両側の端面には伝動ロッドが固定的に取り付けられ、前記伝動ロッドには移動板が上下に対称的且つ固定的に取り付けられ、これにより、回転ブロックを回転させ、回転ロッドを回転連動させ、回転ロッドが回転して回転歯車を回転連動させ、回転歯車は歯止めによってラチェットを回転連動させ、ゼンマイはエネルギーを貯蔵し、釈放するとき、ゼンマイが回転して第一歯車を回転連動させ、第一歯車はチェーンの伝動によって第二歯車を回転連動させ、第二歯車が回転して移動ロッドを回転連動させ、移動ロッドが回転して伝動ロッドと移動板を回転連動させ、玩具本体は水面で泳いでおり、
前記スイング機構は前記噛合チャンバの後側内壁に回転できように係合取り付けられるサポートロッドを含み、前記サポートロッドの前側端面には第二傘歯車が固定的に取り付けられ、前記移動ロッドにおいて前記噛合チャンバの中には第一傘歯車が固定的に取り付けられ、前記第一傘歯車は前記第二傘歯車と噛み合い、前記第二傘歯車の前側端面には接続ブロックが固定的に取り付けられ、前記接続ブロックには伸縮ロッドが回転できように係合取り付けられ、前記スイングチャンバの後側内壁には前記伸縮チャンバの後側内壁を貫通するスイングロッドが回転できように係合取り付けられ、前記スイングロッドにはかめテールが固定的に取り付けられ、前記スイングロッドにおいて前記伸縮チャンバの中には挿入接続ロッドが固定的に取り付けられ、前記挿入接続ロッドの中には上に開口したバネ溝が設けられ、前記バネ溝は前記伸縮ロッドとスライドできように係合され、前記伸縮ロッドの底部端面と前記バネ溝の底壁との間にはバネが固定的に取り付けられ、これにより前記移動ロッドは回転して前記第一傘歯車を回転連動させ、前記第一傘歯車は噛合によって前記第二傘歯車を回転連動させ、前記第二傘歯車は回転して前記接続ブロックを回転連動させ、前記伸縮ロッドは前記挿入接続ロッドを左右に回転連動させ、前記挿入接続ロッドは回転して前記スイングロッドによって前記かめテールを左右に揺動連動させ、
前記補助機構は前記玩具本体に左右に対称的かつ固定的に取り付けられる固定ブロックを含み、前記固定ブロックの中には固定溝が設けられ、前記固定溝の前後内壁の間には固定ロッドが回転できように係合取り付けられ、前記固定ロッドにはカメ足が固定的に取り付けられ、したがって、玩具本体が水面で移動すると、水流は前記カメ足を回転連動させることを特徴とする水面で泳げる子供用浴室玩具。
【手続補正２】
【補正対象書類名】明細書
【補正対象項目名】全文
【補正方法】変更
【補正の内容】
【発明の詳細な説明】
【技術分野】
【０００１】
本発明は玩具分野を取り上げて、具体的には水面で泳げる子供用浴室玩具である。
【背景技術】
【０００２】
子供が風呂に入るとき、よくふざけ、子供の注意をそらすために、子供用浴室の玩具が必要で、従来技術では、一般的な子供用浴室の玩具は、動かすために親が絶えず玩具を回し、親が子供をお風呂に入れるときの面倒を間接的に増加させ、また、入浴時間が長くなり、子供が病気になることがあり、一般的な子供用玩具は水面に浮き、動くこともできなく、娯楽性が欠け、それ故、長期間の親の管理を必要とせずに水上を移動することができる子供用浴室玩具が必要とされる。
【先行技術文献】
【特許文献】
【０００３】
【特許文献１】中国特許出願公開第１０５７４４８２８号明細書
【発明の概要】
【発明が解決しようとする課題】
【０００４】
本発明の目的は水面で泳げる子供用浴室玩具を提供し、それは上記の現在の技術中の問題を解決できる。
【課題を解決するための手段】
【０００５】
本発明は以下の技術プランを通じて実現する：本発明の水面で泳げる子供用浴室玩具は、玩具本体を含み、前記玩具本体の中にはエアバッグが設けられ、前記エアバッグの右側には動力チャンバが設けられ、前記動力チャンバの中には玩具本体の動きを駆動する動力機構が設けられ、前記動力チャンバの下方には伝動チャンバが設けられ、前記動力チャンバと前記伝動チャンバとが連通しており、前記伝動チャンバの左側には噛合チャンバが設けられ、前記噛合チャンバの下方には伸縮チャンバが連通して設けられ、前記伸縮チャンバの下方には下に開口したスイングチャンバが設けられ、前記スイングチャンバと前記噛合チャンバとの間にはスイング機能付きのスイング機構が設けられ、玩具本体の中には補助機構が設けられる。
【０００６】
優選的には、前記動力機構は玩具本体の右側端面に固定的に取り付けられる防水ブロックを含み、前記防水ブロックの中には前記動力チャンバの右側内壁を貫通する回転ロッドが回転できように係合取り付けられ、前記回転ロッドの右側端面には回転ブロックが固定的に取り付けられ、前記回転ロッドの左側端面には回転歯車が固定的に取り付けられ、前記動力チャンバの中にはラチェットが回転できように係合取り付けられ、前記ラチェットの左側端面には接続ロッドが固定的に取り付けられ、前記回転歯車の右側端面には歯止めが固定的に取り付けられ、前記接続ロッドには第一歯車が固定的に取り付けられ、前記接続ロッドの左側端面にはゼンマイが固定的に取り付けられ、前記伝動チャンバの中には前記玩具本体の左右両側の端面を貫通する移動ロッドが回転できように係合取り付けられ、前記移動ロッドには第二歯車が固定的に取り付けられ、前記第二歯車と前記第一歯車との間にはチェーンが伝動できように係合取り付けられ、前記移動ロッドの左右両側の端面には伝動ロッドが固定的に取り付けられ、前記伝動ロッドには移動板が上下に対称的且つ固定的に取り付けられ、これにより、回転ブロックを回転させ、回転ロッドを回転連動させ、回転ロッドが回転して回転歯車を回転連動させ、回転歯車は歯止めによってラチェットを回転連動させ、ゼンマイはエネルギーを貯蔵し、釈放するとき、ゼンマイが回転して第一歯車を回転連動させ、第一歯車はチェーンの伝動によって第二歯車を回転連動させ、第二歯車が回転して移動ロッドを回転連動させ、移動ロッドが回転して伝動ロッドと移動板を回転連動させ、玩具本体は水面で泳いでいる。
【０００７】
優選的には、前記スイング機構は前記噛合チャンバの後側内壁に回転できように係合取り付けられるサポートロッドを含み、前記サポートロッドの前側端面には第二傘歯車が固定的に取り付けられ、前記移動ロッドにおいて前記噛合チャンバの中には第一傘歯車が固定的に取り付けられ、前記第一傘歯車は前記第二傘歯車と噛み合い、前記第二傘歯車の前側端面には接続ブロックが固定的に取り付けられ、前記接続ブロックには伸縮ロッドが回転できように係合取り付けられ、前記スイングチャンバの後側内壁には前記伸縮チャンバの後側内壁を貫通するスイングロッドが回転できように係合取り付けられ、前記スイングロッドにはかめテールが固定的に取り付けられ、前記スイングロッドにおいて前記伸縮チャンバの中には挿入接続ロッドが固定的に取り付けられ、前記挿入接続ロッドの中には上に開口したバネ溝が設けられ、前記バネ溝は前記伸縮ロッドとスライドできように係合され、前記伸縮ロッドの底部端面と前記バネ溝の底壁との間にはバネが固定的に取り付けられ、これにより前記移動ロッドは回転して前記第一傘歯車を回転連動させ、前記第一傘歯車は噛合によって前記第二傘歯車を回転連動させ、前記第二傘歯車は回転して前記接続ブロックを回転連動させ、前記伸縮ロッドは前記挿入接続ロッドを左右に回転連動させ、前記挿入接続ロッドは回転して前記スイングロッドによって前記かめテールを左右に揺動連動させる。
【０００８】
優選的には、前記補助機構は前記玩具本体に左右に対称的かつ固定的に取り付けられる固定ブロックを含み、前記固定ブロックの中には固定溝が設けられ、前記固定溝の前後内壁の間には固定ロッドが回転できように係合取り付けられ、前記固定ロッドにはカメ足が固定的に取り付けられ、したがって、玩具本体が水面で移動すると、水流は前記カメ足を回転連動させ、一箇所に固定して動かない。
【発明の効果】
【０００９】
本発明の有益な効果は：本発明は構造が簡単で、操作が便利で、動力機構の中の回転ブロックを回転させ、それによりゼンマイのためにエネルギーを蓄えることができ、親が玩具を操作する時間を減少し、親が子供をよりよくお風呂に入れられるようにし、子供は入浴で病気になる可能性を減少し、ゼンマイは玩具本体を連動させて長時間水面で移動させ、子供用浴室の玩具の娯楽を増やし、さらに子供の注意をそらすことができ、子供たちに玩具の魅力を増やすことができ、普及の価値がある。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の水面で泳げる子供用浴室玩具の内部構成略図である；
【図２】図２は図１のＡ−Ａの断面構成略図である；
【図３】図３は図１のＢ−Ｂの断面構成略図である；
【図４】図４は図１のＣの拡大構成略図である；
【図５】図５は図１のＤ―Ｄの断面構造略図である；
【発明を実施するための形態】
【００１２】
下記に図１〜５を合わせて本発明について詳しく説明します。本願に記載の各方向は、図１と同じ方向から装置を観察するときの方向と同じである。
【００１３】
図１〜５を参照し、本発明の実施例の水面で泳げる子供用浴室玩具は、玩具本体１１を含み、前記玩具本体１１の中にはエアバッグ１６が設けられ、前記エアバッグ１６の右側には動力チャンバ３１が設けられ、前記動力チャンバ３１の中には玩具本体１１の動きを駆動する動力機構８０が設けられ、前記動力チャンバ３１の下方には伝動チャンバ２４が設けられ、前記動力チャンバ３１と前記伝動チャンバ２４とが連通しており、前記伝動チャンバ２４の左側には噛合チャンバ３３が設けられ、前記噛合チャンバ３３の下方には伸縮チャンバ３８が連通して設けられ、前記伸縮チャンバ３８の下方には下に開口したスイングチャンバ２０が設けられ、前記スイングチャンバ２０と前記噛合チャンバ３３との間にはスイング機能付きのスイング機構７０が設けられ、玩具本体１１の中には補助機構９０が設けられる。
【００１４】
有益なまた例を示すように、前記動力機構８０は玩具本体１１の右側端面に固定的に取り付けられる防水ブロック２８を含み、前記防水ブロック２８の中には前記動力チャンバ３１の右側内壁を貫通する回転ロッド２６が回転できように係合取り付けられ、前記回転ロッド２６の右側端面には回転ブロック２７が固定的に取り付けられ、前記回転ロッド２６の左側端面には回転歯車４５が固定的に取り付けられ、前記動力チャンバ３１の中にはラチェット４３が回転できように係合取り付けられ、前記ラチェット４３の左側端面には接続ロッド２９が固定的に取り付けられ、前記回転歯車４５の右側端面には歯止め４４が固定的に取り付けられ、前記接続ロッド２９には第一歯車３０が固定的に取り付けられ、前記接続ロッド２９の左側端面にはゼンマイ３２が固定的に取り付けられ、前記伝動チャンバ２４の中には前記玩具本体１１の左右両側の端面を貫通する移動ロッド１９が回転できように係合取り付けられ、前記移動ロッド１９には第二歯車２３が固定的に取り付けられ、前記第二歯車２３と前記第一歯車３０との間にはチェーン２５が伝動できように係合取り付けられ、前記移動ロッド１９の左右両側の端面には伝動ロッド１８が固定的に取り付けられ、前記伝動ロッド１８には移動板１７が上下に対称的且つ固定的に取り付けられ、これにより、回転ブロック２７を回転させ、回転ロッド２６を回転連動させ、回転ロッド２６が回転して回転歯車４５を回転連動させ、回転歯車４５は歯止め４４によってラチェット４３を回転連動させ、ゼンマイ３２はエネルギーを貯蔵し、釈放するとき、ゼンマイ３２が回転して第一歯車３０を回転連動させ、第一歯車３０はチェーン２５の伝動によって第二歯車２３を回転連動させ、第二歯車２３が回転して移動ロッド１９を回転連動させ、移動ロッド１９が回転して伝動ロッド１８と移動板１７を回転連動させ、玩具本体１１は水面で泳いでいる。
【００１５】
有益なまた例を示すように、前記スイング機構７０は前記噛合チャンバ３３の後側内壁に回転できように係合取り付けられるサポートロッド３６を含み、前記サポートロッド３６の前側端面には第二傘歯車３５が固定的に取り付けられ、前記移動ロッド１９において前記噛合チャンバ３３の中には第一傘歯車３７が固定的に取り付けられ、前記第一傘歯車３７は前記第二傘歯車３５と噛み合い、前記第二傘歯車３５の前側端面には接続ブロック３４が固定的に取り付けられ、前記接続ブロック３４には伸縮ロッド３９が回転できように係合取り付けられ、前記スイングチャンバ２０の後側内壁には前記伸縮チャンバ３８の後側内壁を貫通するスイングロッド２２が回転できように係合取り付けられ、前記スイングロッド２２にはかめテール２１が固定的に取り付けられ、前記スイングロッド２２において前記伸縮チャンバ３８の中には挿入接続ロッド４０が固定的に取り付けられ、前記挿入接続ロッド４０の中には上に開口したバネ溝４２が設けられ、前記バネ溝４２は前記伸縮ロッド３９とスライドできように係合され、前記伸縮ロッド３９の底部端面と前記バネ溝４２の底壁との間にはバネ４１が固定的に取り付けられ、これにより前記移動ロッド１９は回転して前記第一傘歯車３７を回転連動させ、前記第一傘歯車３７は噛合によって前記第二傘歯車３５を回転連動させ、前記第二傘歯車３５は回転して前記接続ブロック３４を回転連動させ、前記伸縮ロッド３９は前記挿入接続ロッド４０を左右に回転連動させ、前記挿入接続ロッド４０は回転して前記スイングロッド２２によって前記かめテール２１を左右に揺動連動させる。
【００１６】
有益なまた例を示すように、前記補助機構９０は前記玩具本体１１に左右に対称的かつ固定的に取り付けられる固定ブロック１２を含み、前記固定ブロック１２の中には固定溝１３が設けられ、前記固定溝１３の前後内壁の間には固定ロッド１４が回転できように係合取り付けられ、前記固定ロッド１４にはカメ足１５が固定的に取り付けられ、したがって、玩具本体１１が水面で移動すると、水流は前記カメ足１５を回転連動させ、一箇所に固定して動かない。
【００１７】
利用するとき、回転ブロック２７を回転させ、回転ロッド２６を回転連動させ、回転ロッド２６は回転して回転歯車４５を回転連動させ、回転歯車４５は歯止め４４によってラチェット４３を回転連動させ、ゼンマイ３２はエネルギーを貯蔵し、釈放するとき、ゼンマイ３２は回転して第一歯車３０を回転連動させ、第一歯車３０はチェーン２５の伝動によって第二歯車２３を回転連動させ、第二歯車２３は回転して移動ロッド１９を回転連動させ、移動ロッド１９は回転して伝動ロッド１８と移動板１７を回転連動させ、玩具本体１１が水面で移動し、移動ロッド１９は回転して第一傘歯車３７を回転連動させ、第一傘歯車３７は噛合によって第二傘歯車３５を回転連動させ、第二傘歯車３５は回転して接続ブロック３４を回転連動させ、これにより伸縮ロッド３９は挿入接続ロッド４０を左右に回転連動させ、挿入接続ロッド４０は回転してスイングロッド２２によってかめテール２１を左右に揺動連動させ、玩具本体１１が水面で移動するとき、水流はかめ足１５を回転連動させ、一箇所に固定して動かない。
【００１８】
本発明の有益な効果は：本発明は構造が簡単で、操作が便利で、動力機構の中の回転ブロックを回転させ、それによりゼンマイのためにエネルギーを蓄えることができ、親が玩具を操作する時間を減少し、親が子供をよりよくお風呂に入れられるようにし、子供は入浴で病気になる可能性を減少し、ゼンマイは玩具本体を連動させて長時間水面で移動させ、子供用浴室の玩具の娯楽を増やし、さらに子供の注意をそらすことができ、子供たちに玩具の魅力を増やすことができ、普及の価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。